(57)【特許請求の範囲】
【請求項１】
熱溶着性を有するフィルムよりなり、内部に被収容物が充填された開封の容易な易開封性袋であって、
前記フィルムを筒状に折り返して両側縁部を重ね合わせた重ね合わせ部分を熱溶着した縦シール部と、下方端縁部を熱溶着した下方横シール部と、上方端縁部を熱溶着した上方横シール部とによって密封されているとともに、
重ね合わせ部分の内側側縁部側には、上方横シール部と縦シール部に跨って前記易開封性袋における被収容物が収納された部分から隔離する区画領域を熱溶着して形成してあり、この区画領域に対応する重ね合わせ部分の部位に摘み片が形成されていること、を特徴とする易開封性袋。
【請求項２】
重ね合わせ部分の外側側縁部側にも、上方横シール部と縦シール部に跨って前記易開封性袋における被収容物が収納された部分から隔離する第２の区画領域を熱溶着して形成してあること、を特徴とする請求項１記載の易開封性袋。
【請求項３】
縦シール部は、複数条の線状に熱溶着して形成されていること、を特徴とする請求項１または２に記載の易開封性袋。
【請求項４】
縦シール部は、１条の細帯状に熱溶着して形成されていること、を特徴とする請求項１または２に記載の易開封性袋。
【請求項５】
下方横シール部および上方横シール部は、それぞれ複数条の線状に熱溶着して形成されていること、を特徴とする請求項１ないし４のいずれか１項記載の易開封性袋。
【請求項６】
下方横シール部および上方横シール部は、それぞれ１条の細帯状に熱溶着して形成されていること、を特徴とする請求項１ないし４のいずれか１項記載の易開封性袋。
【発明の詳細な説明】
【技術分野】
【０００１】
本発明は、熱溶着性を有するフィルムよりなり、内部に被収容物が充填された開封の容易な易開封性袋であって、食品工場などにおいて食品材料などを取り出す工程で容易かつ衛生的に開封できる易開封性袋に関するものである。
【背景技術】
【０００２】
内部に被収容物が充填された三方シール袋からなる熱溶着性を有するフィルムの包装体であって、三方シール袋は、熱溶着された縦シール部、下方横シール部および上方横シール部によって密封されており、上方横シール部が易開封性の溶着強度を有する易開封性の包装体は、特開２００２−１７９００８公報および特開２００４−４３０２５公報にそれぞれ記載されている。
【０００３】
易開封部（イージーピール部）の開封が容易にでき、しかも、袋体の保管や移送などにあたって、イージーピール部の引き剥がし部がその妨げとなることがない簡易開封性容器は、特開平１１−１３０１４５号公報に記載されている。また、粉体と液体の収納部が区分シールによって区画されていて、使用時に区分シールを剥離して粉体と液体とを混合できるようにした包装袋は、特開２００５−２３１６９１公報に記載されている。
【特許文献１】特開２００２−１７９００８公報
【特許文献２】特開２００４−４３０２５公報
【特許文献３】特開平１１−１３０１４５号公報
【特許文献４】特開２００５−２３１６９１公報
【発明の開示】
【発明が解決しようとする課題】
【０００４】
上述した特開２００２−１７９００８公報、特開２００４−４３０２５公報および特開平１１−１３０１４５号公報にそれぞれ記載されている易開封性包装袋にあっては、易開封部が偏平な面状であるために、開封時に易開封部を開封しようとすると、少し開封された部分から被収容物が押し出されて漏れ出す。漏れ出した被収容物の油脂分あるいは水分が指に付着して指が滑ってしまい袋の開封に支障をきたしていることが指摘されていた。
【０００５】
そこで、本発明は、開封時に充填されている被収容物が入り込まない区画領域に摘み片を設けることで、被収容物の漏れ出しによる指の滑りをなくし、開封作業が常に容易にできる易開封性袋を提供することを目的とするものである。
【課題を解決するための手段】
【０００６】
上記目的を達成するために、本発明に係る請求項１に係る易開封性袋は、熱溶着性を有するフィルムよりなり、内部に被収容物が充填された開封の容易な易開封性袋であって、前記フィルムを筒状に折り返して両側縁部を重ね合わせた重ね合わせ部分を熱溶着した縦シール部と、下方端縁部を熱溶着した下方横シール部と、上方端縁部を熱溶着した上方横シール部とによって密封されているとともに、重ね合わせ部分の内側側縁部側には、上方横シール部と縦シール部に跨って前記易開封性袋における被収容物が収納された部分から隔離する区画領域を熱溶着して形成してあり、この区画領域に対応する重ね合わせ部分の部位に摘み片が形成されていることを特徴とするものである。
【０００７】
請求項２に係る易開封性袋は、請求項１に記載の易開封性袋において、重ね合わせ部分の外側側縁部側にも、上方横シール部と縦シール部に跨って前記易開封性袋における被収容物が収納された部分から隔離する第２の区画領域を熱溶着して形成してあることを特徴とするものである。
【０００８】
請求項３に係る易開封性袋は、請求項１または２記載の易開封性袋において、縦シール部は、複数条の線状に熱溶着して形成されていることを特徴とするものである。
【０００９】
請求項４に係る易開封性袋は、請求項１または２記載の易開封性袋において、縦シール部は、１条の細帯状に熱溶着して形成されていることを特徴とするものである。
【００１０】
請求項５に係る易開封性袋は、請求項１ないし４のいずれか１項記載の易開封性袋において、下方横シール部および上方横シール部は、それぞれ複数条の線状に熱溶着して形成されていることを特徴とするものである。
【００１１】
請求項６に係る易開封性袋は、請求項１ないし４のいずれか１項記載の易開封性袋において、下方横シール部および上方横シール部は、それぞれ１条の細帯状に熱溶着して形成されていることを特徴とするものである。
【発明の効果】
【００１２】
本発明によれば、易開封性袋の重ね合わせ部分の内側側縁部側には、上方横シール部と縦シール部に跨って被収容物が収納された部分から隔離する区画領域が設けられており、この区画領域に対応する重ね合わせ部分の部位に摘み片が形成されている。これにより、開封時に指で摘み片を引っ張った際に易開封性袋が変形しても、充填されている被収容物が区画領域に入り込まない。その結果、被収容物の漏れ出しによる指の滑りをなくし、開封作業が常に容易にできる易開封性袋を得ることができる。
【発明を実施するための最良の形態】
【００１３】
図１は本発明の一実施の形態に係る易開封性袋を示し、（ａ）は全体斜視図、（ｂ）は主要部の拡大部分斜視図である。
【００１４】
図１の（ａ）、（ｂ）に示すように、易開封性袋１は、縦シール部２、上方横シール部３および下方横シール部４によって密封された熱溶着性を有するフィルム製の袋内に、粒状、粉状あるいは液状などの被収容物が充填されている。
【００１５】
上方横シール部３側には、縦シール部２の両側に易開封性袋の被収容物が収納された部分から隔離する第１区画領域５および第２区画領域６が熱溶着した第１シール部７、中間シール部８および第２シール部９によって形成してある。
【００１６】
なお、他の実施の形態に係る易開封性袋として、第２区画領域６を形成せず、第１区画領域５のみを形成したものとすることができる。これ以外の構成は、図１に示した一実施の形態による易開封性袋と同様である。
【００１７】
縦シール部２が形成されている重ね合わせ部分には、外側側縁部側の第２区画領域６に対応する部位に外側摘み片１０が形成されており、内側側縁部側の第１区画領域５に囲まれた部位に内側摘み片１１が形成されている。
【００１８】
また、縦シール部２は、重ね合わせ部分を複数条の線状に熱溶着して形成されている。
【００１９】
なお、縦シール部２は、１条の細帯状に熱溶着して形成することもできるが（図示せず）、シールの強度性から図示のように複数条の線状に熱溶着して形成するのが好適である。
【００２０】
上方横シール部３および下方横シール部４も、重ね合わせ部分を複数条の線状に熱溶着して形成されているが、上方横シール部３および下方横シール部４は、それぞれ１条の細帯状に熱溶着して形成することもできる。また、上方横シール部３および下方横シール部４は、縦シール部２に比べて高いシール強度を要求されるところから、上方横シール部３および下方横シール部４は、それぞれ複数条の線状に形成するのが好ましい。
【００２１】
縦シール部２は、重ね合わせた両側側縁部のうち、内側端縁部１２が袋内に隠れ、かつ外側端縁部１３が袋外に露出している、いわゆる封筒貼り状である。
【００２２】
易開封性袋１を構成する熱溶着性を有するフィルムは、単層または積層構造のフィルムのいずれでもよいが、機械的強度の大きな基材層に介在層を介して熱溶着性に優れたシーラント層が積層された積層構造のフィルムを使用すると、被収容物を収容、保存するのに適した、機械的強度、溶着強度および柔軟性を備えた易開封性袋を得ることができる。
【００２３】
また、熱溶着性を有するフィルムは、溶着条件の変化、つまり、一定の溶着温度に対して溶着圧力を変化させることや、一定の溶着圧力に対して溶着温度を変化させることで、溶着部の溶着強度を簡単に変化させることができる。
【００２４】
積層フィルムを構成する基材層には、ポリプロピレン、ポリアミド、ポリエステル等を用い、シーラント層には、ポリエチレン系またはポリプロピレン系の熱接着性樹脂等を用い、介在層には、低密度ポリエチレン等を用いる。
【００２５】
図４は、本発明に係る易開封性袋を単体フィルムで構成する工程を示す。図４の（ａ）、（ｂ）に示すように、単体フィルム１４を折り返し部１６、１６で筒状に折り返して両側縁部を重ね合わせる。ついで、図４の（ｃ）に示すように、重ね合わせ部分を熱溶着して縦シール部２を形成する。そののち、下方端縁部を熱溶着して下方横シール部４を形成する。なお、図示していないが上方端縁部も熱溶着して上方横シール部３を形成して密封された易開封性袋１を構成する。
【００２６】
なお、図５は、本発明に係る易開封性袋を、筒状フィルムにより構成する工程を示す。図５の（ａ）、（ｂ）に示すように、筒状フィルム１５を偏平に両側部を折り返し部分１６、１６で筒状に折り返して両側縁部を重ね合わせた重ね合わせ部分を熱溶着して縦シール部２を形成する。そののち、図５の（ｃ）に示すように、下方端縁部を熱溶着して下方横シール部４を形成するとともに、上方端縁部を熱溶着して上方横シール部３、第１区画領域５および第２区画領域６を形成して密封された易開封性袋１を構成する。
【００２７】
本発明に係る易開封性袋１を開封するには、上方横シール部３側にある外側摘み片１０を指で摘んで引き剥がし、第１区画領域５が露出する状態とし（図２）、次いで露出した内側摘み片１１を指で摘んで引き剥がして第２区画領域６を露出させるとともに収納部を少し開封した状態にする（図３）。さらに内側の摘み片１１を大きく引き剥がして大きく開封するが、上方横シール部３側には、易開封性袋の被収容物が収納された部分から隔離する第１区画領域５および第２区画領域６を熱溶着した第１シール部７、中間シール部８および第２シール部９により形成してある。このため、開封時に指で各摘み片１０、１１を引っ張った際に易開封性袋が変形しても、充填されている被収容物が第１区画領域５、第２区画領域６に入り込まないから、開封時に被収容物の漏れ出すことがない。その結果、被収容物の漏れ出しに起因する指の滑りが生じないので、開封作業が常に容易にできる。
【図面の簡単な説明】
【００２８】
【図１】本発明の一実施の形態に係る易開封性袋を示し、（ａ）は全体斜視図、（ｂ）は主要部の拡大した部分斜視図である。
【図２】開封にあたって摘み片を摘んで引っ張った状態を示す部分斜視図である。
【図３】図２の状態からさらに開封を進めた状態を示す部分斜視図である。
【図４】本発明に係る易開封性袋を単体フィルムにより構成する態様を示す工程斜視図である。
【図５】本発明に係る易開封性袋を筒状フィルムにより構成する態様を示す工程斜視図である。
【符号の説明】
【００２９】
１    易開封性袋
２    縦シール部
３    上方横シール部
４    下方横シール部
５    第１区画領域
６    第２区画領域
７    第１シール部
８    中間シール部
９    第２シール部
１０    外側摘み片
１１    内側摘み片
１２    内側端縁部
１３    外側端縁部
１４    単体フィルム
１５    筒状フィルム
１６    折り返し部
【図１】
0004809098.tif 000002
【図２】
0004809098.tif 000003
【図３】
0004809098.tif 000004
【図４】
0004809098.tif 000005
【図５】
0004809098.tif 000006